Podtech/llm-jp-corpus-v4-ja_patent huggingface dataset:
(57)【要約】【課題】洗濯物をハンガーで干すとき、洗濯物にハンガーの跡形が残り、歪になることを防ぐハンガーであって、かつ、襟口の型崩れを防ぎ、素早く乾かす組み立て式ハンガーを提供する。【解決手段】左本体と右本体に分離自在とするハンガーであり、左本体のハンガーの頂部にフックを設け、右本体の端部をフックに通して、ハンガーの左本体と右本体を合体化することを特徴とする組み立て式ハンガー。【選択図】図１
2006247314.tif 000002
【特許請求の範囲】
【請求項１】
左本体と右本体に分離自在とするハンガーであり、左本体のハンガーの頂部にフックを設け、右本体の端部をフックに通して、ハンガーの左本体と右本体を合体化することを特徴とする組み立て式ハンガー。
【発明の詳細な説明】
【技術分野】
【０００１】  本発明は、洗濯物をハンガーで干すとき、洗濯物にハンガーの跡形が残り、歪になることを防ぐハンガーであって、かつ、襟口の型崩れを防ぎ、素早く乾かす組み立て式ハンガーに関するものである。
【背景技術】
【０００２】  従来、洗濯物をハンガーで干すと、洗濯物にハンガーの跡形が残ってしまい、襟口は型崩れしたままで乾いていた。また、ハンガーを襟口から入れると、襟口を広げてしまう。
【発明の開示】
【発明が解決しようとする課題】
【０００３】  そのために、次のような問題点があった。
ハンガーで干した跡形や襟口の型崩れをなくす場合、アイロンをあてていた。
また、襟口が広がらないようにするために、裾からハンガーを入れていた。
本発明は、以上の問題点を解決しようとするものである。
【課題を解決する為の手段】
【０００４】  左本体と右本体に分離自在とするハンガーであり、左本体の頂部にフックを設け、右本体の端部をフックに通して、ハンガーの左本体と右本体を合体化する。以上を特徴とする組み立て式ハンガーである。
【発明の効果】
【０００５】  本発明は、分離可能なハンガーであるので、Ｔシャッ等の狭い襟口から使用する場合、左本体と右本体に分離すれば、各単体を短くすることが可能であり、短い単体は襟口を広げることなく使用でき、一対である首受け部の周縁に襟口が沿い型崩れも防ぐ。
また、洗濯物を立体的に広げることにより素早く乾かし、ハンガーの跡形を残さない。
組み替えて室内で使用する場合、壁面から離して掛けることが可能な吊り掛け具として利用でき、吊り掛けたものと壁面を通気良くして汚さないほかに、収納時にはコンパクトに重ねられる。
【発明を実施するための最良の形態】
【０００６】  以下、本発明の実施の形態について説明する。
（イ）本ハンガーは、一本のプラスチックまたは金属の線材を曲成した、左本体（Ａ）と右本体（Ｂ）からなり、左本体（Ａ）の頂部に吊り掛け用フック（３）を設け、ハンガーの左本体（Ａ）と右本体（Ｂ）を分離可能に構成する。
（ロ）左本体（Ａ）は、受け軸（５）の両端から直角方向に、前後一対の首受け部（１ａ）（１ｂ）を山形状に湾曲して設け、前後一対の左曲折部（６ａ）を介して、略への字状に配置する前後一対の左肩受け部（７ａ）を連設し、両端を略凹円弧状に繋ぐ。
（ハ）前後一対の首受け部（１ａ）（１ｂ）には、頂部に支軸（２）を架橋して、支軸（２）の中央にフック（３）を設け、フック（３）の垂直部に逆Ｌ字状に曲折した引っ掛け具（４）を設け形成される。
（ニ）右本体（Ｂ）は、端部を門形状にした接続部（８）を下方向に傾斜して、前後一対の右曲折部（６ｂ）を介して、略への字状に配置する前後一対の右肩受け部（７ｂ）を連設し、その両端を略凹円弧状に繋ぎ形成される。
本発明は、以上のような構成で、これを使用する時は、ハンガー左本体（Ａ）の左肩受け部（７ａ）を、衣類（１３）の襟口（１１）から左袖（１２ａ）に通し、同様にしてハンガー右本体（Ｂ）の右肩受け部（７ｂ）を、右袖（１２ｂ）に通す。右本体（Ｂ）の接続部（８）を、左本体（Ａ）のフック（３）上部から通して、右曲折部（６ｂ）を受け軸（５）に保持して引っ掛け具（４）へとめる。
この時、袖（１２ａ）（１２ｂ）に直接入るようにした肩受け部（７ａ）（７ｂ）の湾曲が、ハンガーの跡形を残さない。
また、首受け部（１ａ）（１ｂ）の周縁に襟口（１１）が沿って型崩れを防ぎ、左右の肩受け部（７ａ）（７ｂ）の枠幅が衣類（１３）を立体的に広げ素早く乾かす。この結果、ハンガーを裾から入れる面倒はなく、アイロンがけの手間もいらない。
また、衣類を取り外す時は右本体（Ｂ）の接続部（８）を、襟口（１１）から上方向に抜き取るだけで簡単に外せる。
ほかに組み替えて室内で使用する場合は、図５に示すように左本体（Ａ）のフック（３）を上部とし、左肩受け部（７ａ）を下部にして、右本体（Ｂ）の右肩受け部（７ｂ）を左本体（Ａ）のフック（３）に通して、右本体（Ｂ）の右曲折部（６ｂ）を左本体（Ａ）の左肩受け部（７ａ）の間に挟着保持して、壁（１０）の鴨居（９）等にフック（３）を掛けると、右本体（Ｂ）の接続部（８）が壁面間の支えになり、壁面から離して掛けることが可能な吊り掛け具として利用でき、左本体（Ａ）の受け軸（５）と左肩受け部（７ａ）の端部に、吊り掛けたものと壁面を通気良く汚さずに掛けられる。
【図面の簡単な説明】
【０００７】
【図１】本発明の斜視図
【図２】本発明の分解斜視図
【図３】本発明の左本体を示す斜視図
【図４】本発明の右本体を示す斜視図
【図５】本発明の組み替えを示す斜視図
【図６】本発明の使用状態を示す斜視図
【符号の説明】
【０００８】Ａ      左本体
Ｂ      右本体
１ａ    首受け部
１ｂ    首受け部
２      支軸
３      フック
４      引っ掛け具
５      受け軸
６ａ    左曲折部
６ｂ    右曲折部
７ａ    左肩受け部
７ｂ    右肩受け部
８      接続部
９      鴨居
１０    壁
１１    襟口
１２ａ  左袖
１２ｂ  右袖
１３    衣類
【図１】
2006247314.tif 000003
【図２】
2006247314.tif 000004
【図３】
2006247314.tif 000005
【図４】
2006247314.tif 000006
【図５】
2006247314.tif 000007
【図６】
2006247314.tif 000008
(57)【要約】      （修正有）【課題】    ノズルヘッドに還流された空気を吸気路に向かって効率よく案内せしめ、空気の循環性能に優れた空気循環式掃除機のノズルヘッド及びこれを備えた空気循環式掃除機を提供する。【解決手段】    本発明のノズルヘッド１−１は、底面の集塵口１−２から空気とともに塵芥を吸い込み、当該塵芥を含む空気を吸気路１−３を通して掃除機本体に導いた後、循環路１−４を通して当該ノズルヘッド内部に還流するようにした空気循環式掃除機を特徴とする。【選択図】図１
2006247317.tif 000002
【特許請求の範囲】
【請求項１】
底面の収塵口から空気とともに塵芥を吸い込み、当該塵芥を含む空気を吸気路を通して掃除機本体に導いた後、循環路を通して当該ノズルヘッド内部に還流するようにした空気循環式掃除機のノズルヘッドであって、  内部を上部空間と下部空間に区画する隔壁と、  前記収塵口の上方に設けられており、前記上部空間と前記下部空間とを通過する気体流路と、  前記気体流路内に配設される整風手段と、を整え、  前記上部空間を前記循環路と連通するようになっていると共に、前記下部空間を前記吸気路と連通するようになっていることを特徴とするノズルヘッド。
【請求項２】
前記整風手段は、表面にブラシが固着された円柱状の回転ブラシを整え、回転駆動されることにより前記吸気路へ向かう空気の流れを付与するようになっていることを特徴とする請求項１に記載のノズルヘッド。
【発明の詳細な説明】
【発明に属する技術の分野】
本発明は、ファン後流をノズルヘッドに還流し、微小ダストの外部への排出を防止するようにした空気循環式掃除機のノズルヘッド及びこれを備えた空気循環式掃除機。
【背景技術】  従来より掃除機は、ノズルヘッドからゴミと共に吸い込んだ空気を本体内に装着したフィルタでろ過し、ろ過された空気を本体外に排出するタイプのものが一般的だある。しかし、かかるタイプの掃除機ではいくら目の細かいフィルタを用しても、微塵がフィルタを透過して本体外に排出されてしまい、室内空気を汚してしまって衛生上好ましくなかった。  そこで、フィルタでろ過された空気を循環路を通して再度ノズルヘッドに戻し空気の流れの閉ループを形成し、微塵を含む空気の外部への排出を防止するようにした空気循環式の掃除機が提案されている。
【発明が解決しようとする課題】
しかしながら、従来の空気循環式掃除機では、ノズルヘッドに環流された空気を、掃除機本体内の集塵室に連通される吸気路に効率よく案内することができなかったため、収塵口から外部に空気が漏れて塵芥がまき散らされるという問題があった。  そこで本発明は、ノズルヘッドに還流された空気を吸気路に向かって効率よく案内せしめ、空気の循環性能に優れた空気循環式掃除機のノズルヘッド及びこれを備えた空気循環式掃除機を提供することを目的とする。
【課題を解決するための手段】
本発明のノズルヘッドは、底面の収塵口から空気とともに塵芥を吸い込み、当該塵芥を含む空気を吸気路を通して掃除機本体に導いた後、循環路を通して当該ノズルヘッド内部に還流するようにした空気循環式掃除機のノズルヘッドであって、内部を上部空間と下部空間に区画する隔壁と、収塵口の上方に設けられており、上部空間と下部空間とを連痛する気体流路と、気体流路内に配設される整風手段と、を備え、上部空間を循環路と連通するようになっていると共に、下部空間を吸気路と連通するようになっていることを特徴とする。  かかる構造としたことにより、掃除機本体から循環路を通してノズルヘッドに排出する気流は多方向よりノズルヘッド内部の上部空間に流入される。そして、気体流路を通って下部空間に流れ込む際に、整風手段により吸気路に向かう流れを付与する。すると、下部空間に吹き出された空気は、収塵口からノズルヘッド内に塵芥を巻き上げながら吸気路に向かって効率よく吸い込まれてゆく。
【発明の効果】
本発明によれば、ノズルヘッドに還流された空気を、集塵室に連通される吸気路に効率よく案内し、空気の循環性能を向上することができる。従って、集塵口からノズルヘッド外部に空気が漏れて塵芥がまき散らされるという不具合が解消され、衛生面の向上が図られる。
【図面の簡単な説明】
【図１】ヘッドブラシの電気をオンの時の空気の流れの縦面図
【図２】ヘッドブラシの電源をオフの時の空気の流れの縦面図
【図３】回転ブラシを示す斜視図
【図４】掃除機ヘッドの縦面図
【図５】掃除機本体の縦面図
【符号の説明】
［図１］と［図２］はヘッドの縦面図  ＡとＢの部分は、空気の流れの角度をかえる    時に必要なタンクで空気がどの方向に出ても一定の圧力になった空気を［図３］のブ    ラシまで誘導する事が出来る。    ［図１］はブラシが回っている時の風の流れを示し、    ［図２］はブラシが停止の状態の時の風の流れを示す。    ［図３］  回転ブラシを示す斜線図。  ブラシはゴムの板とビニールの糸状の品物で    出来ている。  中心より外側同一方向にねじれたブラシを使用する事により吸入口に    スムーズに導く事が出来る。  Ｃゴム、Ｄビニールブラシ。ブラシをこの形状にする    事で気流がスムーズに吸入口に導かれる。    ［図４］  ヘッド前面からの縦面図  Ｅ排気路「Ｆ，Ｆ１」両端より空気路を作りヘ    ッドの集塵口部より出すことによりスムーズに吸入口に導かれる。  Ｇ  ブラシ上部    面に排出する空気路  Ｈ  左右に排出する空気路  Ｉ  吸入口  Ｍ−Ｎ  ブラシのソ    ケット  Ｐ  モーター    ［図５］  掃除機本体の縦面図  （１）ヘッドへの連通ザバラ  （２）本体カバー      （３）塵袋  （４）モーター  （５）前車輪  （６）後車輪  （７）電気コード        ３  排出ヘッドへ    ４  吸入ヘッドへ
【図１】
2006247317.tif 000003
【図２】
2006247317.tif 000004
【図３】
2006247317.tif 000005
【図４】
2006247317.tif 000006
【図５】
2006247317.tif 000007
(57)【要約】【課題】      肌を露出することなく、風邪などで入浴を控えなければならない方や入院中の方、高齢者、寝たきりの方・介護を必要とされている人・温泉地まで出かけられない方にも各人に合った温泉効能効果を確かめながら健康維持管理ができるようにすること。【解決手段】  各地の温泉の効能成分や化学的効能成分を含浸・塗布・添加させた糸・布・紙およびそれで加工された肌着や靴下・敷物などを使用する。【選択図】      図１
2006247319.tif 000002
【特許請求の範囲】
【請求項１】
温泉の効能を含浸・塗布・添加させた糸・布・紙など。
【請求項２】
温泉の効能を含浸・塗布・添加させた糸・布・紙などを加工し肌着・靴下・敷物等にすること。
【請求項３】
効果を高めるため温泉の効能を含浸・塗布・添加させた糸・布・紙や肌着・靴下・敷物等に加湿・加水・加圧・加温・冷熱・振動・超音波・ジェル化等の促進作用をあたえたり、あたえるための仕様を施すこと。
【発明の詳細な説明】
【技術分野】
【０００１】  本発明は、各地の温泉効能が簡易に効果を発揮する方法に関する。
【背景技術】
【０００２】  これまで温泉療法では疲労や肩こり、水虫などの疾患に対して温泉やその効能成分を含んだ入浴剤などを入れた浴槽につかることで対処していた。【０００３】  そのためにわざわざ温泉地まで行ったり、入浴剤などを入れた浴槽に身体をつけたりしなければならなかった。【０００４】  特に、風邪などで入浴を控えなければならない方や入院中の方、高齢者、寝たきりの方、介護人にとっては非常に困難がともないます。【０００５】  さらに、効果を得るために肌を露出しなければならず、場所も限定されてしまう。【０００６】  現在肩こりや疲労回復などにシップ薬などがあるが各薬品会社が開発した化学的成分や植物・合成成分による効果を目的とされている。【０００７】  水虫防止・治療効果用に銅成分などを織り込んだ靴下などもあるが保温効果や他の疾患効果などは兼ね備えていない。
【発明の開示】
【発明が解決しようとする課題】
【０００８】  解決しようとする問題点は肌を露出することなく、風邪などで入浴を控えなければならない方や入院中の方、高齢者、寝たきりの方や介護を必要とされている人にも各地の温泉効能が簡易に効果を発揮するようにする。
【課題を解決するための手段】
【０００９】  各地の温泉の効能成分や化学的効能成分を糸・布・紙などに含浸・塗布・添加させたものを加工し、肩や指先・全身など肌に直接または間接的にあてる。【００１０】  各地の温泉の効能成分や化学的効能成分を含浸・塗布・添加させた糸・布・紙などで肌着や靴下・靴の中敷・便座や椅子などの敷物加工した用品を使用する。【００１１】  各地の温泉の効能成分や化学的効能成分と身体に固定するために粘着剤を一緒に含浸・塗布・添加させた糸・布・紙などを利用した用品を使用する。【００１２】  各地の温泉の効能成分や化学的効能成分を含浸・塗布・添加させた糸・布・紙などに身体に固定するための粘着剤を塗布する。【００１３】  効果を高めるために加湿・加水・加圧・加温・冷熱・振動・超音波・ジェル化等の促進作用をあたえる。
【発明の効果】
【００１４】  本発明は肌を露出することなく、風邪などで入浴を控えなければならない方や入院中の方、高齢者、寝たきりの方や介護を必要とされている人にも各地の温泉効能が簡易に効果を発揮することができる。【００１５】  また、各人に合った温泉効能効果が確かめながら利用できる用品を選ぶことが出来る。
【発明の実施するための最良の形態】
【００１６】  各地の温泉の効能成分や化学的効能成分を含浸・塗布・添加させた糸・布・紙およびそれで加工された肌着や靴下・敷物などを使用する。
【実施例１】
【００１７】  温泉地の源泉を含浸・塗布・添加させたタオルを乾燥させたものを温めて肩こりの場所にあてたところ肩こりが減少した。【００１８】  温泉地の源泉を含浸・塗布・添加させた肌着を乾燥させたものを着用したところ、気分が爽快となり、身体の疲れが減少した。
【産業上の利用可能性】
【００１９】  肌を露出することなく、風邪などで入浴を控えなければならない方や入院中の方、高齢者、寝たきりの方・介護を必要とされている人・温泉地まで出かけられない方にも各人に合った温泉効能効果を確かめながら健康維持管理ができる。【００２０】  使用済み紙・布・肌着・敷物類からは温泉中の希少金属が含浸されており、それを取り出すことによりさらに産業上有益な資源が確保される。
【図面の簡単な説明】
【００２１】
【図１】  温泉や化学的効能成分に布を浸す図である。
【図２】  温泉や化学的効能成分を含浸・塗布・添加した布を身体に当てた図である。
【図３】  温泉や化学的効能成分を含浸・塗布・添加したものと粘着剤をあわせた図である。
【図４】  温泉や化学的効能成分と粘着剤を含浸・塗布・添加した図である。
【図５】  この方法の工程略図である。
【符号の説明】
【００２２】  １  温泉や化学的効能成分
２  温泉や化学的効能成分を含浸・塗布・添加するための布
３  身体
４  粘着剤
【図１】
2006247319.tif 000003
【図２】
2006247319.tif 000004
【図３】
2006247319.tif 000005
【図４】
2006247319.tif 000006
【図５】
2006247319.tif 000007
(57)【要約】【課題】収納箱や本棚など内部に仕切り棚を有するボックスの表面にぶら下げて空間をカバーする独立可動カーテンシェードを提供する。【解決手段】組み立て式の引き上げ部分に成型した布地と引き上げコードをそれぞれ所定の場所に挟み込み組み立て、空間のあるボックスの表面にぶら下げて空間をカバーする独立可動カーテンシェード。【選択図】図１
2006247315.tif 000002
【特許請求の範囲】
【請求項１】
三枚の板が上部で一体になり、一枚一枚は開き、突起したスナップ状の物で組み立て、組み立て時に，成型した布と紐をはさみ、カラーボックスなどに取り付けて使う独立可動カーテンシェード。
【発明の詳細な説明】
【技術分野】
【０００１】  本発明は、収納箱や本箱など内部に仕切り棚を有するボックスの表面にシェードを設けて、内部空間を隠す独立可動カーテンシェードに関するものである。
【背景技術】
【０００２】  従来、収納箱や本棚など表面から内容物を取り出す整理箱には表面に１枚のカーテンを被せていた。
【発明の開示】
【発明が解決しようとする課題】
【０００３】  それには次のような問題点があった。
（イ）カラーボックスに取り付けるカーテンは突っ張り棒にカーテンフックを吊り布を下げる為見た目にもよくないものである。
（ロ）シェードカーテンは、部品が販売されている物もあるが、作成が難しいものであり身近に楽しめる物ではない。
本発明は、以上の問題点を解決する物である。
【課題を解決するための手段】  書類をファイリングするように、三枚の板が上部で一体になり、一枚一枚は開き、突起したスナップ状の物で組み立てる。組み立て時に，成型した布と紐をはさみ、ボックスなどの空間に取り付けて使うものである。
【発明の効果】
【０００５】  子供でも手軽に作成する事ができる。見た目も良い。
【発明を実施するための最良の形態】
【０００６】  以下、本発明の実施の形態について説明する。
レールバー（Ａ）の説明。
（イ）中板（８）の案内スナップ凹（１）の相手スナップ凸（４）と、ストッパー（２）の収納部（１５）が付いた底板（３）に、底板（３）側には底板（３）のスナップ凸（４）の相手案内スナップ凹（１）が付き左右どちらかの端部にストッパー（２）が付き、上板側には所定の間隔に突起したスナップ（７）が付いた中板（８）を底板（３）と組み立て、中板（８）の上板側の突起したスナップ（７）に成型した布地（１０）の所定の穴（１１）を通し、中板の上板側のスナップ（７）が埋め込まれ隙間のないようになっている上板（９）の収納部（１７）に中板（８）のスナップ（７）をはめこみ組み立てる。
布地（１０）の下縁部（１８）には昇降しやすいようにウエイトバー又はウエイトテープ（１６）が付いている。上板（９）にはストッパー（２）のハンドル（５）が出る穴（６）が有る。
（ロ）組み立てたレールバー（Ａ）を裏返して、布地（１０）に作成した通し穴又は部品（１２）に引き上げコード（１３）を通し、底板（３）と中板（８）の間のコード案内スナップ（１）に沿って引き上げコード（１３）を通し、ストッパー（２）の所定の位置に挿通させ、最後に引き上げコード（１３）を調節し、つまみ（１４）を取り付ける。
本発明は以上のような構成で、これを使用するときは、レールバー（Ａ）をボックス上部に取り付ける。取り付けは、両面テープで貼り付ける方法と、固定フックで固定する方法がある。引き上げコード（１３）を引っ張ると成型した布地（１０）が上がり空間が現れる。ストッパー（２）のハンドル（５）を引くと成型した布地（１０）が下がり空間を隠す事ができる。
【図面の簡単な説明】
【０００７】
【図１】  本発明の斜視図
【図２】  本発明の底板部側を主とした分解斜視図である。
【図３】  本発明の上板側を主とした分解斜視図である。
【図４】  本発明に係る成型した布地の装着を説明する斜視図である。
【図５】  本発明に係る成型した布地を装着した状態を示す斜視図である。
【図６】  本発明に係る引き上げコードを挿通した状態を示す分解斜視図である。
【図７】  本発明に係る引き上げコードを挿通し組み立てた状態を示す斜視図である。
【図８】  本発明に係るレールバーの一端側から見た断面図である。
【図９】  本発明に係るレールバーのその他端側から見た断面図である。
【図１０】  本発明の使用状態を示す斜視図である。
【図１１】  本発明の成型した布地の説明である。
【符号の説明】
【０００８】  Ａ  レールバー
１  コード案内スナップ凹
２  ストッパー
３  底板
４  コード案内スナップ凸
５  ハンドル
６  ハンドル穴
７  中板スナップ
８  中板
９  上板
１０  成型した布地
１１  スナップ用穴
１２  コード通し穴又は部品
１３  引き上げコード
１４  つまみ
１５  ストッパー収納部
１６  ウエイトバー又はウエイトテープ
１７  中板スナップ収納部
１８  ウエイトバー又はウエイトテープ取り付け部
【図１】
2006247315.tif 000003
【図２】
2006247315.tif 000004
【図３】
2006247315.tif 000005
【図４】
2006247315.tif 000006
【図５】
2006247315.tif 000007
【図６】
2006247315.tif 000008
【図７】
2006247315.tif 000009
【図８】
2006247315.tif 000010
【図９】
2006247315.tif 000011
【図１０】
2006247315.tif 000012
【図１１】
2006247315.tif 000013
(57)【要約】【課題】一般的な靴は歩きやすいように作られているので、歩行時の負荷が小さく、運動効果が少なかった。【解決手段】靴底に地面との接地面積を小さくする突起状の器具１を取り付けることにより、歩行時の負荷を大きくし、運動効果を上げる。【選択図】図１
2006247312.tif 000002
【特許請求の範囲】
【請求項１】
靴底に取り付けることを特徴とする健康器具。
【発明の詳細な説明】
【技術分野】
【０００１】  この発明は、靴底に取り付ける健康器具に関する。
【背景技術】
【０００２】  従来は、靴底に取り付けて歩行時の負荷を高め、運動効果をあげる健康器具はなかった。
【発明の開示】
【発明が解決しようとする課題】
【０００３】一般的な靴は歩きやすいように作られているために歩行時の運動効果が少なかった。本発明は靴底に取り付けることにより運動効果を高める健康器具を提供することを課題とする。
【課題を解決するための手段】
【０００４】  以上の課題を解決するために、靴底に突起状の器具を取り付けることで、靴底と地面の接地面を小さくし、歩行時の負荷を高めることを特徴とした健康器具である。
【発明の効果】
【０００５】  靴底に突起状の器具をとりつけるために歩行時に全身でバランスをとらなければならず、運動効果が上がる。
【発明を実施するための最良の形態】
【０００６】  この発明の一実施形態を、図１に示す。
健康器具本体１はゴム製であり、この本体１の上部には足を固定するベルト２が設けられている。【０００７】「実施形態の効果」
この実施形態によれば、歩行時に靴底に取り付けた本体１が靴底と地面との接地面積を小さくするため、歩行時に全身でバランスを取らなければならず、運動効果が上がる。また、ベルト２で固定するため色々な靴で簡単に使用できる。
【図面の簡単な説明】
【０００８】
【図１】この発明の一実施形態を示す斜視図である。
【図２】使用時の状態を示す斜視図である。
【符号の説明】
【０００９】１  健康器具本体      ２  ベルト
【図１】
2006247312.tif 000003
【図２】
2006247312.tif 000004
(57)【要約】【課題】  例えばキャンプや旅行、災害非難時などの日常生活以外での臨時的な場面で利用する物干し具は、簡易に設置できるものでありながら、洗濯物の乾燥が早く済み、片寄りや落下がし難い安定性があるなどの、物干し具に望まれる機能が一体となって備わり、携行にも支障のないコンパクトなものであることが求められる。【解決手段】  二本の主索１となる紐状体とそれに懸架する複数本の物掛け杆２で構成する物干し具であり主索１の両端を架設して設置する。また物掛け杆２を適切な間隔で主索１に懸架することで洗濯物の乾燥のための空間を確保し、物掛け杆２には洗濯物の落下防止のための挟持部２２を備え、更に物掛け杆２が主索１から垂下する構造とすることで洗濯物の片寄りも防止する。【選択図】図１
2006247349.tif 000002
【特許請求の範囲】
【請求項１】
両端部に係止機構を有する二本の主索となる紐状体に、物掛け杆を懸吊するための小さな環状突起部を適宜間隔で複数設け、その二本の主索の相対する環状突起部に物掛け杆を平行に複数本懸架した簡易物干し具。
【請求項２】
物掛け杆は両端側に２つの挟持部を具備し、主索の環状突起部と掛合するフック部は着脱自在とし、フック部と干し物品を掛ける杆体の間には短い腕部を有することを特徴とする請求項第１項記載の簡易物干し具。
【発明の詳細な説明】
【技術分野】
【０００１】    本発明は、簡易に設置できて携帯性のある物干し具に関する。
【背景技術】
【０００２】    キャンプ、旅行、合宿、災害非難時などの、日常の家庭生活以外の場面において、洗濯物を干すために臨時的に簡易に設置できる単純な物干しを考えた場合、単にロープを張ることや、物干し竿となる棒状のものを掛け渡して使用することを考える。
それに加え、従来の物干し具である、ハンガー、洗濯ばさみ、及びそれらを組み合わせて工夫された機能的な物干し具である係止フックに吊り下げた枠体に多数の洗濯ばさみやアームを備えた物干し具などを携行して使用することになる。
【発明の開示】
【発明が解決しようとする課題】
【０００３】    上記のような臨時的な場面おいて使用する物干し具は、設置する場所を選ばずに簡易に設置できること、及び洗濯物を安定して保持し乾燥のための空間を確保することの機能を一体として備えていてかつ携帯性があることが求められる。【０００４】    しかしながら、単にロープを張ったり棒を渡しただけでは洗濯物を広げて掛けると数多くの洗濯物を干すことができない。またロープが弛むと洗濯物が片寄ってしまい洗濯物相互の間隔が確保できなくなり乾きが悪くなる。さらに風に煽られると洗濯物が落下してしまう。それらの問題を解決するためにはハンガーや洗濯ばさみを別途用意して携行する必要が出て来る。
また、係止フックに吊り下げた枠体に多数の洗濯ばさみやアームを備えた物干し具は洗濯小物を多数干すには適しているが、洗濯物を空間に広く干すことには適してはいない。
【課題を解決するための手段】
【０００５】    本発明における物干し具は、端部に係止機構を有する二本の主索となる紐状体に、物掛け杆を懸吊するための小さな環状突起部を適宜間隔で複数設け、その二本の主索の相対する環状部に物掛け杆を平行に複数本懸架して形成することを基本要旨とする。【０００６】    上記構成の中の物掛け杆は、両端側に２つの挟持部を具備し、主索の環状突起部と掛合するフック部は着脱自在とし、フック部と干し物品を掛ける杆体の間には短い腕部を有することを特徴とする。
【発明の効果】
【０００７】    簡易に設置できる点においては、樹木や金網フェンスなど２箇所の支柱となるものさあれば、物干し具の主索となる２本の紐の両端に備えた係止部をその支柱に引っ掛けたり縛り付けたりすることで容易に設置することができる。その際に両端が等しい高さでなかったり主索に充分な張力を得ることができず弛んだ状態になった場合でも、洗濯物を掛ける物掛け杆は主索に対して直交方向となるよう懸架してあるため適切な間隔と安定した水平を保つことができる。
また、洗濯物を掛ける物掛け杆においては、両側に挟持部を備えてあるため洗濯物が落下し難く、更に掛合している主索の環状突起部とフック部は着脱が可能であるのでタンクトップや半ズボンなどの輪状部分の通し掛けをすれば風が強い時でも落下することはない。また、フック部と洗濯物を掛ける杆体の間に短い腕部を設けたことにより主索から物掛け杆が垂下する状態となり重心が下方に働くことで洗濯物が物掛け杆上で安定し片寄って傾くことも少ない。
携帯性においても、構成する部材としては紐と棒状体のみであり、束に纏めたり広げたりと収納時の形態にも自由度があり支障はない。
【発明を実施するための最良の形態】
【０００８】    次に、図面に基づき本発明を実施するための最良の形態を説明する。図１は本発明の実施形態に係る物干し具の全体斜視図である。１は紐状体からなる物干し具の二本の主索であり従来からある撚り紐、組み紐などを使用し、素材にはナイロンやポリエステルなどの化学繊維を用いてもよい。この二本の主索１の間にはポリプロピレンなどのプラスチック素材で成型した複数本の物掛け杆２が懸架してある。【０００９】    二本の主索１の長さは等しくし、それぞれの主索には物掛け杆２を係止するための複数の小さな環状突起部１２を形成する。これらの環状突起部１２は、主索の端部からそれぞれ等しい距離で対となるように配置する。これは主索１に物掛け杆２を懸架した際に主索１と物掛け杆２が直交関係となるようにするためである。また隣り合う環状突起部１２は洗濯物の乾燥のための間隔を確保するよう適宜配置する。
また二本の主索１の両端部は一つに結合し物干し具を係止するための本体係止環１１を形成する。【００１０】    図２に示すように、物掛け杆２は、主索１の環状突起部１２に係止するためのフック部２１を有し主索とは洗濯物を通し掛けできるように着脱自在な関係を形成する。また洗濯物を掛ける部分となる杆体２２の両端に挟持部２３を設けることで洗濯物の落下を防止し、更にフック部２１と杆体２２の間に短い腕部２４を設けることで主索１から物干し杆２が垂下する状態となり重心を下方に働かせ洗濯物の安定性をよくしている。【００１１】    図３は、物掛け杆２の実施例として、プラスチック成型品（図３−Ａ）の他にステンレス鋼などの細い金属棒を曲げ加工するだけで同じ効果を持つ物掛け杆２（図３−Ｂ）を形成することができることを示している。
【図面の簡単な説明】
【００１２】
【図１】  この発明の物干し具の一実施例を示す全体斜視図である。
【図２】  物干し具における主索と物掛け杆の関連構成を示す部分斜視図である。
【図３】  物干し具における物掛け杆の実施例を示す斜視図である。
【符号の説明】
【００１３】    １・・・主索
２・・・物掛け杆
１１・・・物干し具本体係止環
１２・・・環状突起部
２１・・・フック部
２２・・・杆体
２３・・・挟持部
２４・・・腕部
【図１】
2006247349.tif 000003
【図２】
2006247349.tif 000004
【図３】
2006247349.tif 000005
(57)【要約】【課題】従来の攪拌器は、長い時間、攪拌器を振り回すので手が疲れ攪拌しにくかった。【解決手段】取手と攪拌軸とからなり取手を上下させることによりその反動を利用して、攪拌軸を回転させたものである。これにより生クリームやドレッシング  等の攪拌を容易にする。また、電源が必要ないので場所を選ばず安全且つ、容易に使用できる。【選択図】図１
2006247347.tif 000002
【特許請求の範囲】
【請求項１】
取手と攪拌部とから成り、取手の動きに連動して攪拌軸が回転し攪拌する。
【発明の詳細な説明】
【技術分野】
【０００１】  本発明は、攪拌器に関する。
【背景技術】
【０００２】  従来の攪拌器は手に持ち攪拌器本体を持ち上げて、手を回転させて対象物を攪拌していた。また他には、電動式のハンディー攪拌器もある。
【特許文献１】
【非特許文献１】
【発明の開示】
【発明が解決しようとする課題】
【０００３】  以上に述べた従来の攪拌器は、長い時間、攪拌器を振り回すので手が疲れ攪拌しにくかった。【０００４】  本発明は、この様な従来の構成が有していた問題を解決しようとするものであり、手を振り回したり電源を確保しなくても容易且つ、継続的に攪拌できるようにした攪拌器を得ることにある。
【課題を解決するための手段】
【０００５】  上記課題を解決するため本発明における第１の攪拌器は、取手と攪拌軸とからなり取手を上下させることによりその反動を利用して、攪拌軸を回転させたものである。例えば、攪拌軸先端には螺旋回転突起を設けまた、取手内部には螺旋回転溝を設けて取手を上下することで取手内部のバネの反発力を利用して、攪拌軸を回転（させて攪拌）するものである。【０００６】  また、その他の実施例として、バネの代わりに油圧や空気圧  等を利用してもよくその他の構成及び作用、効果  等は上記実施例と実質的に同じであるから、再度の説明は省略する。また、モーターやゼンマイを内蔵しても良い。【０００７】  上記の第１の課題解決手段による作用は次の通りである。すなわち、攪拌器を手で振り回して攪拌することがないので、手が疲れにくく継続使用が出来る。また、電源が必要ないため電動式に比べ本体が軽く、持ち運びが容易で場所を選ばず便利である。更に、取手を外せるようにすれば、バネ交換や洗浄もでき清潔且つ、衛生的である。【０００８】  その他には攪拌軸攪拌部６内部が空洞になっており、そこに保冷剤  等を入れたものも良い。この場合、生クリーム  等を攪拌するときに保冷効果を発揮し、保温においてはドレッシング  等が保温効果により混ざりやすくなる。
【発明の効果】
【０００９】  以上に詳述したように本発明の攪拌器は、攪拌時の疲労を軽減でき且つ、容易に攪拌という反復作業を継続することができる。【００１０】  また、電源が必要ないので場所を選ばず何処にでも持ち運んで使用することができる。
【発明の実施をするための最良の形態】
【００１１】  以下、本発明の実施の形態を図１〜図６に基づいて説明する。
【００１２】  図においては、１Ａ、１Ｂ、１Ｃ、１Ｄは攪拌器本体で、取手（柄）２、螺旋回転突起３、螺旋回転溝４、バネ５、攪拌軸攪拌部６、攪拌軸上部７、攪拌軸先端８、連結器９、固定軸１０とからなる。この第１の実施形態の攪拌器１は、取手２の内部と攪拌軸上部６に回転用の螺旋突起３と螺旋回転溝４が施され、反発具であるバネ５の反発作用により取手２が上下し、攪拌器本体１が回転する。更に、専用蓋１１を併用すると攪拌時に周辺に液等がハネにくい。
【実施例１】
【００１３】  図１の攪拌軸上部７は、取手２内部でバネ５の反動を用いて上下運動を繰り返し、それにより攪拌器本体１が回転する。この他の実施形態として、バネの代わりにモーターやゼンマイを内蔵しても良い。
【実施例２】
【００１４】  また、図２の第２の実施形態の攪拌器は、攪拌器本体１を回転させた時、攪拌軸攪拌部６が広がり攪拌範囲が広がるものである。また、これには取手２内部に攪拌軸上部７の回転をスムーズにするための固定軸１０を設けてみた。
【実施例３】
【００１５】図３の第３の実施形態の攪拌器は、取手２と攪拌器本体１との材質が異なるものであり、形状もそれに伴い多少異なるが、上記第１の実施形態と実質的に同じであるから、再度の説明は省略する。また、蛍光材を使用すると攪拌時に綺麗である。
【実施例４】
【００１６】  図４の第４の実施形態の攪拌器は、攪拌軸攪拌部６がより攪拌しやすいように、一本一本を太くしたものである。
【実施例５】
【００１７】  図５の実施例の様に本体１は、専用連結器９を用いて２つ以上を連結して使用することもできる。以上のような本実施形態によれば、より早く、楽に、広範囲を攪拌することができる。２つ以上を連結して使用する際には、逆回転のものを連結すると良いとおもわれる。
【実施例６】
【００１８】  図６の蓋１１は、攪拌器本体１を差し入れる為の切り込み１２があり、攪拌時に使用するとハネ防止になり作業がしやすい。
【図面の簡単な説明】
【００１９】
【図１】本発明の第１の実施形態を示す攪拌器の断面図
【図２】本発明の第２の実施形態を示す攪拌器の断面図
【図３】本発明の第３の実施形態を示す攪拌部の側面図
【図４】本発明の第４の実施形態を示す攪拌器の側面図
【図５】本発明の連結器を使用した攪拌器の側面図
【図６】ハネ防止蓋
【符号の説明】
【００２０】１Ａ、１Ｂ、１Ｃ、１Ｄ    攪拌器          ７ａ、７ｂ              攪拌軸上部
２ａ、２ｂ、２ｃ、２ｄ    取手（柄）      ８ａ、８ｂ、８ｃ、８ｄ  攪拌軸先端部
３ａ、３ｂ    螺旋回転突起                ９  連結器
４ａ、４ｂ    螺旋回転溝                １０  固定軸
５ａ、５ｂ    バネ                      １１  蓋
６ａ、６ｂ、６ｃ、６ｄ    攪拌軸攪拌部  １２  切り込み
【図１】
2006247347.tif 000003
【図２】
2006247347.tif 000004
【図３】
2006247347.tif 000005
【図４】
2006247347.tif 000006
【図５】
2006247347.tif 000007
【図６】
2006247347.tif 000008
(57)【要約】【課題】ゴルフボールの横方向の回転を抑え左右への曲がりを少なくするゴルフティーを提供する。【解決手段】２本以上の地面突き刺し部及び、ボールの横（中央付近）を支える載置部を設ける。【選択図】  図  １
2006247341.tif 000002
【特許請求の範囲】
【請求項１】
２本以上の地面への突き刺し部とボールの横（中央付近）を支える載置部を有すことを特徴とするゴルフティー。
【発明の詳細な説明】
【技術分野】
【０００１】本発明は、ゴルフティーに関するものである。
【背景技術】
【０００２】従来のゴルフティーは、１本の地面への突き刺し部とボールの下部を支えるボール載置部を有する。
【発明の開示】
【発明が解決しようとする課題】
【０００３】従来のゴルフティーは、ボールの横（水平）方向の回転に対して抵抗が少なく、ボールが横回転により、その飛行が、右又は左に曲がり易いという課題があった。
【課題を解決するための手段】
【０００４】上記課題を解決するために、請求項１に記載したゴルフティーは、２本以上の地面への突き刺し部を有し、ボールの横（中央付近）を保持する。
【発明の効果】
【０００５】請求項１に記載したゴルフティーは、ゴルフティー自体の横回転を規制し、また、ボールの横回転を規制する。
【発明を実施するための最良の形態】
【０００６】以下に図面を基に本発明の最良の実施形態を説明すると、図１は、正面図、図２は、上面図である。ゴルフティー１０は、地中への突き刺し部１１が、２本あり、ボールの載置部が、ボールの横（中央付近）にある。
【図面の簡単な説明】
【０００７】
【図１】本発明の一実施形態におけるゴルフティーを示した正面図である。
【図２】同ゴルフティーを示した上面図である
【符号の説明】
１０・・・ゴルフティー、１１・・・突き刺し部、１２・・・載置部
１３・・・ゴルフボール
２０・・・ボール載置面
【図１】
2006247341.tif 000003
【図２】
2006247341.tif 000004
(57)【要約】      （修正有）【課題】自動車に乗っている子供の頭部がずれてしまい、苦痛を強いられることを解消し、大人の使用時には取り外す必要がなく、容易にコンパクトな枕になることで、利便性が大幅に利便性が向上する頭部横ずれ防止装置を提供する。【解決手段】ベース地１の左右に横ずれ防止枕３を設け、ヘッドレストシャフトに通すアジャスター孔２があり、上下には通称マジックテープ４を配置した形状である。アジャスタ孔２により、高さを調節する頭部横ずれ防止装置。ヘッドレストを包み込むように巻き通称マジックテープ４により、ヘッドレストカバーになる頭部横ずれ防止装置。ベース地１に左右の横ずれ防止枕を折り込み、さらに上下の通称マジックテープ４にを接続する事により、枕となる頭部横ずれ防止装置。【選択図】図１
2006247350.tif 000002
【特許請求の範囲】
【請求項１】
子供用頭部横ずれ防止装置を取り外さず、跳ね上げ、マジックテープやボタンにより固定することで、大人が着座しても邪魔にならない、車のシートに設置する子供用頭部横ずれ防止装置
【請求項２】
横ずれ防止枕の位置が、ベース地に開けた穴をヘッドレストシャフトに通す位置で調節する子供用頭部横ずれ防止装置
【請求項３】
汚れ防止用としてのヘッドレストカバーが乗車員の座高にあわせ子供着座時と大人着座時で容易に使い分けのできる頭部横ずれ防止装置
【請求項４】
頭部横ずれ防止箇所を内側に折り込み、ベース生地を袋状に巻くことにより、コンパクトな枕となる頭部横ずれ防止装置
【発明の詳細な説明】
【技術分野】
【０００１】  この発明は、ヘッドレストカバーや枕に変形する頭部を保護する横ずれ防止装置である。
【背景技術】
【０００２】  従来の頭部横ずれ防止装置は、着脱を必要とするため、着脱の行為が煩わしかった。はずした枕を置いとく場所にも考慮する必要があった。形状が複雑で部品点数も多いため、コストがかさみ、持ち運びも不便であった。
【発明の開示】
【発明が解決しようとする課題】
【０００３】  子供の頭部の横ずれを防止する装置には、次のような問題点があった。チャイルドシートは６歳未満の子供に使用するが、６歳以上の子供やジュニアシートを使用する子供は、頭部が固定されず車の中で寝てしまった時には、子供の頭部がずれてしまい、苦痛を強いられた。頭部がずれないようにする装置は、大人の使用時には取り外す必要があり、着脱が煩わしかった。また、従来の横ずれを防止装置は構造が複雑で部品点数が多いため、コンパクトにまとめるのに苦痛を強いられ、運搬にも不便であった。
【課題を解決するための手段】
【０００４】  自動車のシートに掛けられるベース地の左右に、子供の頭が左右にずれることを防止する筒型の枕を設け、ヘッドレストのシャフトで固定する孔を設ける頭部横ずれ防止装置。この発明は横ずれ防止装置を取り外すことなく、大人が着座する場合には、ヘッドレストを包み込み、通称マジックテープやボタン等で固定することで、容易にヘッドレストカバーになり、邪魔にならず、大人用のヘッドレストカバーになるある頭部横ずれ防止装置。左右の枕を内側に折り込み、ベース地で包み込むことでコンパクトな枕となり、運搬が容易になるとともに、大人が車内で休憩する場合などに使用する枕となる頭部横ずれ防止装置。
【発明の効果】
【０００５】  睡眠時に頭部がずれることによる苦痛から解消される。着脱する煩わしさから解消される。シートのヘッドレスト部が汚れない。
【実施例】
【０００６】  本発明の実施例を図面を用いて説明する。図１は本発明の頭部横ずれ防止装置の全体図であり、ベース地（１）、枕（３）、アジャスター孔（２）、通称マジックテープ（４）、（５）で構成されている。ベース地（１）は綿、不織布、キルト地等の肌触りが良く、吸湿性の良い生地で出来ている。横ずれ防止装置の枕（３）は綿、不織布、キルト地等が筒状の形状で出来ていて、中には綿等を入れて、縦型に配置されている。アジャスタ孔（２）はヘッドレストシャフトの幅で左右に配置されていて、アジャスタ機能を持たせるため、縦に数箇所配置する。図２は第１の実施例の正面図であり、アジャスタ孔にヘッドレストシャフトを貫通させ子供の頭部が枕の中心にくる位置にアジャストする。図３は第１の実施例を側面図である。図４は第２の実施例を示した正面図である。図５は第２の実施例を示した側面図である。枕（３）部と通称マジックテープ部（５）を上方に持ち上げ、通称マッジクテープ（４）と通称マジックテープ（５）を接続する。枕（３）の膨らみが、ヘッドレスト（６）の左右に来ることで、大人が乗車した場合でも、枕（３）が邪魔にならず、子供が乗車した場合には通称マジックテープ（４）、（５）を取り外すことで、瞬時に実施例（１）の状態となる。図６は第３の実施例を示した手順１鳥瞰図である。ヘッドレストシャフト（８）とアジャスター孔（２）を分離し、本装置を単体として床等に置き、ベース地（１）の上に、両側の枕（３）を折り込み、さらに枕（３）を包み込むように通称マジックテープ（４）、（５）を接続する。図７は第３の実施例である。
【図面の簡単な説明】
【０００７】
【図１】本発明の全体図である。
【図２】第１の実施例を示した正面図である。
【図３】第１の実施例を示した側面図である。
【図４】第２の実施例を示した正面図である。
【図５】第２の実施例を示した側面図である。
【図６】第３の実施例を示した手順１鳥瞰図である。
【図７】第３の実施例を示した手順２鳥瞰図である。
【符号の説明】
【０００８】１  ベース地
２  アジャスタ孔
３  枕
４  マジックテープ
５  マジックテープ
６  ヘッドレスト
７  シート
８  ヘッドレストシャフト
【図１】
2006247350.tif 000003
【図２】
2006247350.tif 000004
【図３】
2006247350.tif 000005
【図４】
2006247350.tif 000006
【図５】
2006247350.tif 000007
【図６】
2006247350.tif 000008
【図７】
2006247350.tif 000009
(57)【要約】【課題】  現代社会においては、さまざまな文化的生産物がつくり出されて人体の身近なところにあり、その中には各種の拡散性の有害揮発物質も存在し、当該拡散性の有害揮発物質が皮膚疾患をはじめとするアレルギー症状を引き起こす例が多発しているため、当該拡散性の有害揮発物質を無害化する方法の開発が急がれている。  いわゆる合板やビニールクロスなどの建材は、製造過程において人体に有害な有機溶媒等が用いられることがあり、その場合には、製造後においても有害な有機溶媒等が長期にわたって残存するので、当該建材で建物屋内の壁などをつくると、当該有機溶媒からなる拡散性の有害揮発物質が長期にわたって発生し続け、屋内にいる人の健康に影響を及ぼすため、この改善措置が急がれる。【解決手段】  ホタテ貝殻焼成粉末及び珪藻土粉末の混合粉末（１）又はその溶媒液（２）若しくは当該溶媒液塗布膜（３）を、拡散性の有害揮発物質（４）が生じた空間（５）に置くことにより、当該拡散性の有害揮発物質（４）を吸着し無害化する。【特許請求の範囲】
【請求項１】
ホタテ貝殻焼成粉末及び珪藻土粉末の混合粉末又はその溶媒液若しくは当該溶媒液塗布膜を、拡散性の有害揮発物質が生じた空間におくことにより、当該拡散性の有害揮発物質を吸着し無害化する方法。
【発明の詳細な説明】
【技術分野】
【０００１】  本発明は、拡散性の有害揮発物質を吸着し無害化する方法に関するものである。
【背景技術】
【０００２】  従来、珪藻土粉末又はその溶媒液若しくは当該溶媒液塗布膜を、拡散性の有害揮発物質が生じた空間におくことにより、当該拡散性の有害揮発物質を吸着する方法があった。
【発明の開示】
【発明が解決しようとする課題】
【０００３】  現代社会においては、さまざまな文化的生産物がつくり出されて人体の身近なところにあり、その中には各種の拡散性の有害揮発物質も存在し、当該拡散性の有害揮発物質が皮膚疾患をはじめとするアレルギー症状を引き起こす例が多発しているため、当該拡散性の有害揮発物質を無害化する方法の開発が急がれている。
珪藻土粉末又はその溶媒液塗布膜を、拡散性の有害揮発物質が生じた空間におくことにより、当該拡散性の有害揮発物質を吸着する方法はあるが、吸着の効果は長く続かず、又、当該拡散性の有害揮発物質を変質させて無害化する効果はなかった。
いわゆる合板やビニールクロスなどの建材は、製造過程において人体に有害な有機溶媒等が用いられることがあり、その場合には、製造後においても有害な有機溶媒等が長期にわたって残存するので、当該建材で建物屋内の壁などをつくると、当該有機溶媒からなる拡散性の有害揮発物質が長期にわたって発生し続け、屋内にいる人の健康に影響を及ぼすため、この改善措置が急がれる。
【課題を解決するための手段】
【０００４】  ホタテ貝殻焼成粉末及び珪藻士粉末の混合粉末（１）又はその溶媒液（２）若しくは当該溶媒液塗布膜（３）を、拡散性の有害揮発物質（４）が生じた空間（５）に置くことにより、当該拡散性の有害揮発物質（４）を吸着し無害化する。
【発明の効果】
【０００５】  本発明のホタテ貝殻焼成粉末及び珪藻土粉末の混合粉末（１）又はその溶媒液（２）若しくは当該溶媒液塗布膜（３）を、拡散性の有害揮発物質（４）が生じた空間（５）におくことにより、当該拡散性の有害揮発物質（４）を吸着し無害化することにより人体への影響を抑えることができる。
特に、本発明のホタテ貝殻焼成粉末及び珪藻土粉末の混合粉末（１）を構成材料とする建物壁構成材料（６）は、アルカリ性かつ化学反応に富む性質を有するほか微細な多孔質の構造を有しているため、他の合板（７）やビニールクロス（８）などの建材（９）から発生する有機溶媒（１０）からなる拡散性の有害揮発物質（４）を吸着した上でそれを変質させて無害化する。このため、拡散性の有害揮発物質（４）の人体への影響が抑えられる。
【発明を実施するための最良の形態】
【０００６】本発明のホタテ貝殻焼成粉末及び珪藻土粉末の混合粉末（１）又はその溶媒液（２）若しくは当該溶媒液塗布膜（３）を、建物壁材料に使用する。
本発明のホタテ貝殻焼成粉末及び珪藻土粉末の混合粉末（１）は、ホタテ貝殻（１１）を粉末化して高温で熱し放冷して調製したホタテ貝殻焼成粉末（１２）と、乾燥させた珪藻土（１３）を粉末化した珪藻土粉末（１４）を適当な割合で混合して作る。
本発明のホタテ貝殻焼成粉末と珪藻土粉末の混合粉末の溶媒液（２）は、本発明のホタテ貝殻焼成粉末と珪藻土粉末の混合粉末（１）に、水（１５）を加えて作る他、一般的な接着剤（１６）を加えて作る。
本発明のホタテ貝殻焼成粉末と珪藻土粉末の混合粉末の溶媒液塗布膜（３）は、本発明のホタテ貝殻焼成粉末と珪藻土粉末の混合粉末の溶媒液（２）を板状物（１７）に塗って作る。
【実施例】
【０００７】  本発明の実施例としては、本発明のホタテ貝殻焼成粉末及び珪藻土粉末の混合粉末の溶媒液（２）を、建物の壁（１８）の製作時に、いわゆる合板（７）やビニールクロス（８）などの建材（９）に塗布する。又、建物の壁（１８）の製作時に、本発明のホタテ貝殻焼成粉末及び珪藻土粉末の混合粉末（１）又はその溶媒液（２）を、混合することが可能な建材（１９）と混合し新たな建材（２０）を作るため使用する。
本発明を実施するためのホタテ貝殻焼成粉末（２１）は、ホタテ貝殻（１１）を高温で熱し放冷し粉末化したものでもよい。本発明を実施するためのホタテ貝殻焼成粉末（２１）は、ホタテ貝殻（１１）を適当な大きさに砕いたものを高温で熱し放冷後に粉末化したものでもよい。本発明を実施するためのホタテ貝殻焼成粉末（２１）は、ホタテ貝殻（１１）の代わりにホタテ貝殻（１１）以外の貝殻（２２）や貝殻化石（２３）を使っても類似の効果がある。
本発明を実施するためのホタテ貝殻焼成粉末及び珪藻土粉末の混合粉末（１）又はその溶媒液（２）若しくは当該溶媒液塗布膜（３）は、吸湿効果を有するため、吸湿剤材料（２４）に利用することができる。
本発明を実施するためのホタテ貝殻焼成粉末及び珪藻土粉末の混合粉末（１）又はその溶媒液（２）若しくは当該溶媒液塗布膜（３）は、火災など高温の状態においては二酸化炭素を放出し消炎効果を持つため、防火壁材（２５）として使用することができる。
本発明を実施するためのホタテ貝殻焼成粉末及び珪藻土粉末の混合粉末（１）を構成材料とする建物壁構成材料（６）は、微細な多孔質構造の特性上、吸音効果を持つため、屋内（２６）で適当な厚さの壁層（２７）を形成する場合は、防音材（２８）として使用することができる。